【事件の表示】
　特許第２８２９９１３号「カメラ」の特許に対する特許異議の申立てについて、次のとおり決定する。
【結論】
　訂正を認める。
　特許第２８２９９１３号の特許請求の範囲第１項に記載された発明についての特許を維持する。
【理由】
（１）手続きの経緯
　本件特許第２８２９９１３号発明は、昭和６２年５月１３日に特許出願され、平成１０年９月２５日にその発明の特許がなされ、その後、旭光学工業　株式会社及びコニカ　株式会社より特許異議の申立てがなされ、取消理由通知がなされ、その指定期間内である平成１１年１０月１２日に訂正請求がなされたものである。
（２）訂正の適否についての判断
ア．特許請求の範囲の訂正
ａ、訂正明細書の特許請求の範囲第１項に記載された発明は、次のとおりである。
「（１）ピント調整モードであるか否かを判定する判定手段と、予め決められたピント調整モード用のレンズ位置を指示する指示手段と、前記判定手段によりピント調整モードであることが判定された場合は、前記指示手段により指示される位置にレンズを設定するレンズ設定手段と、ピント調整を行う場合にシャッタをバルブ状態にするシャッタ制御回路とを有することを特徴とするカメラ。」
イ．発明の名称の訂正
ａ、明細書第１頁第２行（特許掲載公報【発明の名称】）の「カメラ及びピント調整装置」を「カメラ」と訂正する。
ウ．発明の詳細な説明の訂正
ａ、明細書第１頁（発明の利用分野）の項（特許掲載公報第２欄）の「カメラ及びピント調整装置」を「カメラ」と訂正する。
ｂ、明細書第２頁（発明の目的）の項（特許掲載公報第３欄）の「カメラ及びピント調整装置」を「カメラ」と訂正する。
ｃ、明細書第２７頁（発明の効果）の項（特許掲載公報第１２欄）の「カメラ及びピント調整装置」を「カメラ」と訂正する。
ｄ、明細書第３頁（発明の特徴）の項（特許掲載公報第３欄）の「上記目的を達成するために、‥‥‥ピント調整装置とするものである。」を「上記目的を達成するために、本発明は、ピント調整モードであるか否かを判定する判定手段と、予め決められたピント調整モード用のレンズ位置を指示する指示手段と、前記判定手段によりピント調整モードであることが判定された場合は、前記指示手段により指示される位置にレンズを設定するレンズ設定手段と、ピント調整を行う場合にシャッタをバルブ状態にするシャッタ制御回路とを有するカメラとするものである。」と訂正する。
エ．訂正の目的の適否及び拡張・変更の存否等
　上記訂正ア．は、訂正前請求項１を減縮し、訂正前請求項２を削除したものであり、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正イ、ウは、発明の名称及び発明の詳細な説明欄中の明瞭でない記載の釈明を目的とするものであり、願書に添付した明細書又は図面に記載された事項の範囲内のものであり、新規事項の追加もない。
オ．独立特許要件の判断
（刊行物）
　特許異議申立人旭光学工業　株式会社が提示した甲第１号証（特開昭６１−４５２３４号公報、以下、刊行物１という。）には、「焦点検出動作を制御する作動制御手段の作動がカメラのシーケンス制御手段により制御されるカメラの焦点検出装置において、焦点検出のための調整や検査が容易に行なえるようにすることを目的とする。」（第２頁右上欄第７〜１１行）、「焦点検出動作を制御する作動制御手段に、カメラの撮影シーケンスに応じて焦点検出手段を制御する第１制御部と、撮影シーケンスとは無関係に焦点検出手段を制御する第２制御部と、両制御部を択一的に切換えて作動させる選択部とを設けたことを特徴とする。」（第２頁右上欄第１３〜１８行）、及び「上記切換部により第２制御部が選択されると、作動制御手段はカメラの撮影シーケンスとは無関係に作動するようになり、焦点検出のための調整や検査が容易となる。」（第２頁右上欄第２０行〜左下欄第３行）との記載があり、
　同じく提示した甲第２号証（特開昭５９−６４８１７号公報、以下、刊行物２という。）には、「誤動作が少なく、信頼性の高い自動焦点調節装置を実現することを目的としている。この目的を達成する本発明の自動焦点調節装置は、被写体距離を検出する測距装置を有したカメラにおいて、「絞り値が常焦点撮影を可能とする撮影モード」と「測距装置の出力信号が信用できない撮影モード」と「測距信号を用いた自動合焦による撮影モード」の３つの撮影モードを備え、「絞り値が常焦点撮影を可能とする撮影モード」、「測距装置の測距信号が信用できない撮影モード」、「測距信号を用いた自動合焦による撮影モード」の順に優先順位をつけ、各撮影モードに対応して予め設定しておいたレンズ位置に撮影レンズを誘導するように構成したことを特徴とするものである。」（第２頁右上欄第１〜１５行）との記載がある。
　特許異議申立人コニカ　株式会社が提示した甲第１号証（特開昭６３−２５６９３１号公報、以下、先願明細書という。）には、「第１０図は、調整装置の概要である。本実施例によるフォーカシングレンズ駆動装置を用いたカメラ６０は調整用台６１上の一方の端部に載置されている。この調整用台６１上の他方の端部近傍にはスクリーン６２，光源６３が固定されていて、スクリーン６２には縞目状の多孔パターンが設けられている。また調整用台６１上の上記一方の端部近傍には、ＣＣＤラインセンサ６４が設けられている。ＣＣＤラインセンサ６４はその長手方向が紙面上で上下方向になるように配置されている。またカメラ６０はそのフィルム面がＣＣＤラインセンサ６４の受光面と同一面になるように、またフォーカシングレンズ群２２の光軸がＣＣＤラインセンサ６４の中心に来るように位置決めされている。」（第６頁左上欄第１２行〜右上欄第６行）、「まず、調整用ＣＰＵ６６の入力端子Ｔ１に接続されたスタートスイッチ６７をオンにすると、調整用ＣＰＵ６６は出力端子Ｔ２より“Ｈ”の信号ＴＥＳＴ１を出力する。この結果、カメラ内のＣＰＵ１１は、この信号ＴＥＳＴ１の立上がりを検出して〈フォーカシング調整〉のフローに入る。‥‥‥この結果、カメラ６０内のＣＰＵ１１は、信号ＴＥＳＴ２の立上がりを検出してフォーカシングレンズ群２２をエンコーダパルスで２０パルス分だけ繰り出す。」（第６頁左下欄第３〜１６行）及び「まず、コントラスト値がピークになるフォーカシングレンズ群２２の位置を求める。第１１図に示した例では、ピーク位置のレンズ繰り出し量（エンコーダパルス数）は７０パルスである。ここで、設計的にはピーク位置はレンズ繰り出し量にして６２パルスであると仮定すると、フォーカシングモータ２０の周辺部分等における機構の出来ばえにより＋８パルス分だけピーク位置がずれていることになる。これはｆｃ誤差に相当する。従って、フォーカシングのための調整値ＤＦＯＣＵＳとして＋８が決定される。」（第７頁左上欄第２０行〜右上欄第１０行）との記載がある。
　同じく提示した甲第２号証（光学機器組立の総合研究編集委員会著「技能検定　光学機器組立の総合研究」〔昭和６０年１１月１５日、株式会社技術評論社発行〕第１４２〜１４５頁、以下、刊行物３という。）には、「写真機のピント調整‥‥‥なお、既にレンズを固定してある写真機のピント狂いを調べるには、まず、上記と同様にコリメーター、被検写真機、顕微鏡を配置する。次に、コリメーターレンズを動かして、∞目盛にレンズを固定した被検写真機の最良のピント位置を探す。そのとき動いたコリメーターレンズの移動量を計り、下記の式によってピント誤差を計算する。」（第１４５頁第１１〜２２行）との記載があり、
　同じく提示した甲第３号証（特開昭６２−５０７３６号公報、以下、刊行物４という。）には、「次にＥＥＰＲＯＭのティーチングモードについて説明する。第３図はこのモードの流れ図を示し、次のように作動する。（１）レンズの種類をチェックし、その種類別番号をＥＥＰＲＯＭに記憶する。（２）レンズを∞（無限大）位置にセットする。」（第３頁右上欄第１７行〜左下欄第２行）及び「以上説明したようにして各種レンズのレンズ位置に対応するレンズ移動特に微駆動のためのモータ駆動パルス巾時間がＥＥＰＲＯＭに記憶され、これはトルク値に対応している。このティーチングモードは製造工程、サービス時またはレンズ装着時等に実施される。」（第４頁左上欄第６〜１１行）との記載がある。
（対比・判断）
〈第２９条の２について〉
本件請求項１に記載された発明と上記先願明細書に記載された発明とを対比すると、後者は、前者の構成の一部である「ピント調整を行う場合にシャッタをバルブ状態にするシャッタ制御回路を有するカメラ」を有さない。
　それゆえ、本件請求項１に記載された発明と上記先願明細書に記載された発明とが同一であるとすることはできない。
〈第２９条第２項について〉
　本件請求項１に記載された発明と上記刊行物１〜４に記載された発明とを対比すると、後者は、前者の構成の一部である「前記判定手段によりピント調整モードであることが判定された場合は、前記指示手段により指示される位置にレンズを設定するレンズ設定手段」及び「ピント調整を行う場合にシャッタをバルブ状態にするシャッタ制御回路を有するカメラ」を有さない。
　それゆえ、各刊行物に記載された発明をどのように組み合わせてみても、本件請求項１に記載された発明を推考することはできない。
カ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　申立人旭光学工業　株式会社は、証拠として甲第１号証（特開昭６１−４５２３４号公報、上記刊行物１）、甲第２号証（特開昭５９−６４８１７号公報、上記刊行物２）を提出し、訂正前請求項１及び２に記載された発明は、特許法第２９条第２項の規定に違反してなされたものであるから、特許を取り消すべき旨主張している。
　申立人コニカ　株式会社は、証拠として甲第１号証（特開昭６３−２５６９３１号公報、上記先願明細書）を提出し、訂正前請求項１及び２に記載された発明は、特許法第２９条の２第１項の規定に違反してなされたものであるから、特許を取り消すべき旨主張し、また、甲第２号証（光学機器組立の総合研究編集委員会著「技能検定　光学機器組立の総合研究」〔昭和６０年１１月１５日、株式会社技術評論社発行〕第１４２〜１４５頁、上記刊行物３）、甲第３号証（特開昭６２−５０７３６号公報、上記刊行物４）を提出し、訂正前請求項１及び２に記載された発明は、特許法第２９条第２項の規定に違反してなされたものであるから、特許を取り消すべき旨主張している。
イ．判断
〔本件請求項１に記載された発明〕
　申立人旭光学工業　株式会社及びコニカ　株式会社の主張については、上記（２）オ．で示したとおりである。
ウ．むすび
　以上のとおりであるから、特許異議申立の理由及び証拠によっては、本件請求項１に記載された発明の特許を取り消すことはできない。
　また、他に本件請求項１に記載された発明の特許を取り消すべき理由を発見しない。
　よって、結論のとおり決定する。
【異議決定日】
平成１１年１２月１０日（１９９９．１２．１０）
【訂正の要旨】
　訂正の要旨
（１）手続きの経緯
特許請求の範囲の減縮を目的として、下記（１）のように特許請求の範囲を訂正する。また、特許請求の範囲の訂正に応じて、発明の名称及び詳細な説明についても、適合性を持たせるために下記（２）〜（６）のように訂正する。
（１）特許請求の範囲を、次のとおり訂正する。「（１）ピント調整モードであるか否かを判定する判定手段と、予め決められたピント調整モード用のレンズ位置を指示する指示手段と、前記判定手段によりピント調整モードであることが判定された場合は、前記指示手段により指示される位置にレンズを設定するレンズ設定手段と、ピント調整を行う場合にシャッタをバルブ状態にするシャッタ制御回路とを有することを特徴とするカメラ。」
（２）明細書第１頁第２行（特許掲載公報【発明の名称】）の「カメラ及びピント調整装置」を「カメラ」と訂正する。
（３）明細書第１頁（発明の利用分野）の項（特許掲載公報第２欄）の「カメラ及びピント調整装置」を「カメラ」と訂正する。
（４）明細書第２頁（発明の目的）の項（特許掲載公報第３欄）の「カメラ及びピント調整装置」を「カメラ」と訂正する。
（５）明細書第２７頁（発明の効果）の項（特許掲載公報第１２欄）の「カメラ及びピント調整装置」を「カメラ」と訂正する。
（６）明細書第３頁（発明の特徴）の項（特許掲載公報第３欄）の「上記目的を達成するために、‥‥‥ピント調整装置とするものである。」を「上記目的を達成するために、本発明は、ピント調整モードであるか否かを判定する判定手段と、予め決められたピント調整モード用のレンズ位置を指示する指示手段と、前記判定手段によりピント調整モードであることが判定された場合は、前記指示手段により指示される位置にレンズを設定するレンズ設定手段と、ピント調整を行う場合にシャッタをバルブ状態にするシャッタ制御回路とを有することを特徴とするカメラとするものである。」と訂正する。
（５４）【発明の名称】
カメラ
（５７）【特許請求の範囲】
（１）ピント調整モードであるか否かを判定する判定手段と、予め決められたピント調整モード用のレンズ位置を指示する指示手段と、前記判定手段によりピント調整モードであることが判定された場合は、前記指示手段により指示される位置にレンズを設定するレンズ設定手段と
、ピント調整を行う場合にシャッタをバルブ状態にするシャッタ制御回路と
【発明の詳細な説明】
（発明の利用分野）
　本発明は、レンズのピント調整を行う
カメラ
（発明の背景）
　従来より、撮影レンズのピント調整はその光学的精度を保証するためにカメラがほぼ完成した段階において、シャッタをバルブ状態に設定し、フィルム面上に配置したミラーへ変調光を投光し、反射光をセンサで受光処理することにより行っていた。ところが、近年この種のカメラにはオートフォーカス機能が備わっていることから、前記ピント調整を行う場合、シャッタをバルブ状態にする事のみでなく、ピント調整を行うのに適した位置まで撮影レンズを移動させる必要があり、その位置まで撮影レンズが移動するであろう場所に被写体を設定することを行っていた。この為、ピント調整に時間を要すると共に手間がかかり、調整コストも非常に高いものとなっていた。
（発明の目的）
　本発明は、上述した事情に鑑みなされたもので、レンズのピント調整を容易に、且つ短時間に行うことのできる
カメラ
（発明の特徴）
　上記目的を達成するために、
本発明
、ピント調整を行う場合にシャッタをバルブ状態にするシャッタ制御回路と
ものである。
（発明の実施例）
　以下、本発明を図示の実施例に基づいて詳細に説明する。
　第１図は本発明の一実施例を示す回路図で、１はフィルムが装填されることにより自動的に１枚目の撮影駒までフィルムを送る空送り制御回路であり、２は通常レリーズとピント調整時のレリーズとを判別するレリーズモード判別回路であり、３は測距及び撮影レンズの移動制御を行うレンズ制御回路であり、４は自動露出制御及びバルブ動作を行うシャッタ制御回路である。
　前記空送り制御回路１において、Ｓ１は背蓋の開閉に連動するスイッチで、背蓋が開いているときにはオフし、閉じている時にはオンする。Ｓ２はフィルムパトローネの在否に連動するスイッチで、パトローネがない時にはオフし、パトローネがある時にはオンする。Ｓ３はフィルムの送りに連動するスイッチで、フィルム１駒分が送られる間に８回オンオフを繰り返し、８回目のオンで１駒目の送りが完了する。１１は電源ＶＣＣとスイッチＳ１に接続されたプルアップ抵抗、１２は電源ＶＣＣとスイッチＳ２に接続されたプルアップ抵抗、１３は２入力オアゲート、１４はインバータ、１５は３入力アンドゲート、１６は電流制限用の抵抗、１７は前記抵抗１６を介してＨレベル（ハイレベルの信号を意味する）が入力することによりオンするトランジスタ、１８は電源ＶＢＡＴとトランジスタ１７に接続され、不図示の駆動系を介してフィルムの空送り等を行うモータ、１９は電源ＶＣＣとスイッチＳ３に接続されたプルアップ抵抗、２０はインバータ、２１はキャパシタ、２２は前記キャパシタ２１と共にスイッチＳ３がオンする毎にＨレベルのパルスを出力する微分回路を構成する抵抗、２３は空送りの異常を検出するためのカウンタ、２４は３入力オアゲート、２５はインバータ、２６は前記インバータ２５の出力及び図示しない基準クロック発生回路よりのクロックＣＫを入力とする２入力アンドゲート、２７はインバータ、２８は空送りの終了を検出するためのカウンタ、２９はインバータ、３０は２入力アンドゲート、３１はインバータである。
　ここで、該空送り制御回路１での動作を説明する。フィルムが装填されていない場合又は背蓋が開いている場合には、スイッチＳ１又はスイッチＳ２がオフしているので、オアゲート１３の出力はＨレベルとなり、インバータ１４の出力がローレベルとなるので、トランジスタ１７はオフ状態のままであり、モータ１８へは通電されない。この時、オアゲート１３の出力はＨレベルであるのでオアゲート２４の出力もＨレベルとなり、カウンタ２３はリセットされ、またカウンタ２８もリセットされる。
　フィルムがフィルムパトローネ室に装填され、背蓋が閉じられると、スイッチＳ１及びスイッチＳ２が共にオンし、オアゲート１３の出力はＬレベル（ローレベルの信号を意味する）となり、インバータ１４の出力はＨレベルとなる。この時、カウンタ２３及びカウンタ２８はリセットされていたのでその出力は共にＬレベルであり、インバータ２５及びインバータ２９の出力は共にＨレベルであり、よってアンドゲート１５の出力もＨレベルとなり、トランジスタ１７がオン状態となってモータ１８への通電が開始され、フィルムの空送りが開始される。空送りが開始されると、フィルムが移動し始めるので、スイッチＳ３がオンオフを繰り返し、このオン毎にキャパシタ２１と抵抗２２の接続点に、すなわち微分回路の出力段に１パルスの信号が発生する。このパルスはオアゲート２４を介してカウンタ２３ヘリセット信号として入力する他、アンドゲート３０及びインバータ３１を介してカウンタ２８のカウンタ値をアップさせるための信号として入力する。スイッチＳ３はフィルム１駒分が送られる間に８回オンオフを繰り返す構成となっているので、空送りとして送られる駒数が４駒分なら３２（＝８×４）回オンオフ繰り返した後でカウンタ２８内のカウント値が所定値に達し、その出力がＬレベルからＨレベルになる。この間カウンタ２３はスイッチＳ３がオンする度にリセットされるので、その出力はＬレベルのままとなっている。カウンタ２８の出力がＨレベルになると、インバータ２９の出力がＬレベルになるので、アンドゲート１５の出力もＬレベルとなり、モータ１８への通電が停止され、空送りが終了となる。またインバータ２９の出力がＬレベルになることによりアンドゲート３０の出力もＬレベルになるので、この後カウンタ２８のカウント値はアップしない。又カウンタ２８の出力はオアゲート２４を介してカウンタ２３をリセットし続ける。
　一方、空送り実行のためのモータ１８への通電が行われたにも拘らず、フィルムが正常に送られない場合（いわゆる空送り失敗）にはスイッチＳ３はオン或はオフのままとなっている。従って、キャパシタ２１と抵抗２２によって構成される微分回路の出力段にはパルスは発生せず、カウンタ２８内のカウント値はアップせず、又カウンタ２３へのリセット信号も停止する。このようにしてカウンタ２３のリセットが解除されるとアンドゲート２６及びインバータ２７を介してクロックＣＫが入力するようになり、このクロックＣＫをカウントしているカウンタ２３内のカウント値が所定時間（例えば１秒）経過値に相当する値となるとその出力がＨレベルに、すなわち空送り失敗を示すＨレベルが出力される。このように該カウンタ２３の出力がＨレベルになると、インバータ２５の出力はＬレベルとなり、アンドゲート１５の出力もＬレベルとなってモータ１８への通電は停止する。又アンドゲート２６の出力もＬレベルとなるので、これ以後は該カウンタ２３のカウント値は進まない。
　前記レリーズモード判別回路２において、Ｓ４はレリーズボタンの押し下げに連動するスイッチで、通常はオフとなっており、レリーズ時にオンとなる。４１は電源ＶＣＣとスイッチＳ４に接続されるプルアップ抵抗、４２はインバータ、４３は空送り制御回路１内のカウンタ２３の出力を入力とするインバータ、４４，４５は２入力アンドゲートである。
　該レリーズモード判別回路２での動作を説明する。レリーズボタンが押し下げられると、スイッチＳ４がオンしてインバータ４２の出力がＨレベルとなる。この時前記カウンタ２３の出力がＬレベルなら（空送り成功時）アンドゲート４４の出力がＨレベルとなり、カウンタ２３の出力がＨレベルなら（空送り失敗）アンドゲート４５の出力がＨレベルとなる。
　前記レンズ制御回路３において、５１は前記レリーズモード判別回路２内のインバータ４２の出力がＬレベルの時にはリセットされており、インバータ４２の出力がＬレベルからＨレベルになると測距動作を開始し、測距動作が完了するとＨレベルの測距完了信号をＥＮＤ出力端より出力すると共に、３ビットの測距データをＱ１，Ｑ２，Ｑ３出力端より出力する測距回路５２，５３，５４は前記レリーズモード判別回路２内のアンドゲート４４の出力及び測距回路５１よりの３ビットの測距データを入力とする２入力アンドゲート、５５，５６は前記レリーズモード判別回路２内のアンドゲート４５の出力及び前記アンドゲート５２，５３の出力を入力とする２入力オアゲート、Ｓ５はオートフォーカスによる撮影レンズの移動時に各測距ゾーンの中心距離に対応する移動位置に達する毎にオンオフを繰り返すスイッチ、５７は電源ＶＣＣとスイッチＳ５に接続されるプルアップ抵抗、５８は前記レリーズモード判別回路２内の抵抗４１を介して電源ＶＣＣによりリセットされ、スイッチＳ５のオンオフをカウントするカウンタ、５９はＡ１，Ａ２，Ａ３の各入力端に入力する３ビットの信号とＢ１，Ｂ２，Ｂ３の各入力端に入力する３ビットの信号とを比較し、それぞれの値が一致した時にＡ＝Ｂ出力端をＨレベルとするディジタルのコンパレータ、６０はインバータ、６１は測距回路５１のＥＮＤ出力端及びインバータ６０からの出力を入力とするアンドゲート、６２は電流制限用の抵抗、６３は抵抗６２を介してＨレベルの信号が入力することによりオンするトランジスタ、６４は通電されている間撮影レンズを例えば至近側基準位置から無限位置に向かって移動させ、通電が停止されることにより撮影レンズを各測距ゾーンの中止位置に停止させる撮影レンズ制御用のコイル、６５は２入力アンドゲートである。
　該レンズ制御回路３での動作を説明する。リセットが解除されると測距回路５１は測距動作を開始し、該動作が終了するとＥＮＤ出力端よりそのことを示す信号（測距完了信号）を出力し、又Ｑ１〜Ｑ３出力端より測距データを出力するが、レリーズモード判別回路２内のアンドゲート４４の出力がＨレベルで、アンドゲート４５の出力がＬレベルの場合、つまり空送り成功時には、Ｑ１〜Ｑ３出力端よりの測距データはアンドゲート５２，５３，５４及びオアゲート５５，５６を介してコンパレータ５９のＡ１〜Ａ３入力端へ送られる。又、レリーズモード判別回路２内のアンドゲート４４の出力がＬレベルで、アンドゲート４５の出力がＨレベルの場合、つまり空送り失敗時には、測距回路５１の出力によらずコンパレータ５９のＡ１〜Ａ３入力端には［Ｈ，Ｈ，Ｌ］なる３ビットの信号が入力する。カウンタ５８はレリーズ前にはリセットされており、リセット解除後も撮影レンズが移動してスイッチＳ５がオンオフするまではそのカウント値は進まないので、該カウンタ５８の各出力はいずれもしレベルである。この時にコンパレータの出力が前述したように［Ｈ，Ｈ，Ｌ］の場合にはＡ＝Ｂ出力端はＬレベルであるので、インバータ６０の出力はＨレベルとなる。従ってアンドゲート６１の出力もＨレベルになり、トランジスタ６３はオン状態となってコイル６４への通電が開始され、撮影レンズが移動し始める。撮影レンズが移動し始めるとスイッチＳ５は各ゾーンの中心位置に対応するところでオンオフするものであるので、これに伴ってカウンタ５８のカウント値がアップし始め、例えばピント調整に適した３番目のゾーンに相当する位置に撮影レンズが達することによりその出力は［Ｈ，Ｈ，Ｌ］となる。この時コンパレータ５９のＡ＝Ｂ出力端はＬレベルからＨレベルになるのでインバータ６０の出力はＬレベルとなり、又アンドゲート６１の出力もＬレベルとなるのでトランジスタ６３はオフ状態となり、コイル６４の通電が停止する。これにより、撮影レンズが３番目の測距ゾーンの中心位置となるように被写体を配置する等の作業を必要なしに、ピント調整に適した位置まで自動的に前記撮影レンズを移動させることができる。
　前記シャッタ制御回路４において、７１は前記レンズ制御回路３内のアンドゲート６５の出力を入力とするインバータ、７２はリセットが解除されることにより露出制御を開始し、適正露出が得られた時点でＥＮＤ出力端よりＨレベルを出力する露出制御回路、７３はインバータ、７４は前記レリーズモード判別回路２内のアンドゲート４５の出力およびインバータ７３の出力を入力とする２入力オアゲート、７５はリセットが解除されることによりクロックＣＫをカウントするカウンタ、７６はインバータ、７７は前記レンズ制御回路３内のアンドゲート６５の出力とオアゲート７４の出力とインバータ７６の出力を入力とする３入力アンドゲート、７８は電流制限用抵抗、７９は抵抗７８を介してＨレベルの信号が入力することによりオンするトランジスタ、８０は前記トランジスタ７９のオンにより通電が開始され、この通電期間シャッタの開閉制御を行う露出制御用のコイル、８１は２入力オアゲートである。
　該シャッタ制御回路４での動作を説明する。撮影レンズを所定位置へ移動し終え、アンドゲート６５の出力がＨレベルになると、インバータ７１の出力はＬレベルになるので露出制御回路７２のリセットが解除され、露出制御が開始される。この時前記レリーズモード判別回路２内のアンドゲート４５の出力がＬレベルであれば、カウンタ７５のリセットも解除され、始めはその出力はＬレベルであり、よってインバータ７６の出力はＨレベルとなっている。又、露出制御開始時には露出制御回路７２のＥＮＤ出力端はＬレベルなのでインバータ７３の出力はＨレベルであり、オアゲート７４の出力もＨレベルになってアンドゲート７７の出力もＨレベルとなるのでトランジスタ７９がオン状態となり、コイル８０への通電が開始されてシャツタが開かれ、フィルムヘの露光が始まる。その後、露出制御回路７２により適正露出が得られたと判定され、ＥＮＤ出力端よりＨレベルが出力されると、インバータ７３の出力がＬレベルになってオアゲート７４の出力もＬレベルとなり、又アンドゲート７７の出力もＬレベルとなるのでトランジスタ７９はオフ状態となり、コイル８０への通電が停止する。又この時被写体輝度が低い場合には、カウンタ７５により例えば０．５秒がカウントされることによりその出力がＨレベルになり、インバータ７６の出力がＬレベルとなるのでアンドゲート７７の出力もＬレベルとなり、よってこの時点でコイル８０への通電が停止する。
　また、前記レリーズモード判別回路２内のアンドゲート４５の出力がＨレベルであれば、レンズ制御回路３のアンドゲート６５の出力がＨレベルとなり、インバータ７１の出力がＬレベルとなってもオアゲート８１の出力はＨレベルのままとなり、カウンタ７５はリセットされ続けるのでその出力はＬレベルのままとなり、又インバータ７６の出力はＨレベルのままとなる。一方、オアゲート７４の出力は露出制御回路７２の出力に関係なくＨレベルとなるので、アンドゲート７７の出力はＨレベルのままとなり、コイル８０は通電され続け、バルブ状態となる。
　次に、カメラの一連の動作について説明する。
　先ず、通常の使用状態（フィルム空送り完了、フィルム有、背蓋閉）について述べる。この時カウンタ２３はリセットされているので、その出力はＬレベルである。この状態でレリーズボタンが押し下げられスイッチＳ４がオンすると、アンドゲート４４の出力がＨレベル、アンドゲート４５の出力がＬレベルとなる。この場合、測距回路５１での測距動作が終了すると、ここで得られた測距データはコンパレータ５９に入力され、コイル６４への通電が開始されて撮影レンズが移動し始める。すると撮影レンズの移動に伴いスイッチＳ５がオンオフを繰り返し、このオンオフ回数をカウントしているカウンタ５８のカウント値が前記測距データと等しくなると、コンパレータ５９の出力がＨレベルに反転し、コイル６４への通電が停止されて撮影レンズの移動が終了、つまり合焦位置に達する。その後コイル８０への通電開始され、適正露光が得られた時点で露出制御回路７２のＥＮＤ出力端よりＨレベルが出力され、これによりコイル８０への通電が停止し、露光動作が終了する。その後レリーズボタンの押し下げが停止されると、図示しない駆動系を介して１駒分のフィルムの巻上げが行われ、同時に撮影レンズは基準位置に復帰させられる。
　次に、撮影レンズのピント調整を行う場合について説明する。例えばフィルムのリーダー部をフィルムパトローネ内に完全に巻き込んだ状態でパトローネ室へ装填し、背蓋を閉じる。これによりモータ１８への通電は開始されるが、フィルムを巻き取ることができないのでスイッチＳ３はオン或はオフのままであり、その結果カウンタ２３でのカウント内容が例えば１秒に達すると、その出力がＨレベルに、つまり空送り失敗モードとなる。この状態でレリーズボタンの押し下げが行われると、スイッチＳ４がオンし、アンドゲート４４の出力がＬレベル、アンドゲート４５の出力がＨレベルとなる。従ってこの場合、測距回路５１からの測距データによらずコンパレータ５９のＡ１〜Ａ３入力端には［Ｈ，Ｈ，Ｌ］なる３ビットの信号が入力することになる。コイル６４への通電が開始されて撮影レンズが移動し始めた後、３回目のスイッチＳ５のオンの時点でカウンタ５８の出力が前記と同様［Ｈ，Ｈ，Ｌ］なる信号となると、この時点でコイル６４への通電が停止され、これにより撮影レンズはピント調整時の指定された距離に対応する位置に停止する。その後コイル８０への通電が開始されてシャッタが開成するが、レリーズモード判別回路２内のアンドゲート４５の出力がＨレベルとなっているので、露出制御回路７２の出力に拘らずオアゲート７４の出力はＨレベルであり、又カウンタ７５はリセットされ続けているのでアンドゲート７７の出力はＨレベルのままとなり、シャッタがバルブ状態となり、撮影レンズのピント調整を行うことのできる状態となる。
　前記ピント調整が終了した時点でレリーズボタンの押し下げを解けば、シャツタは閉成する。また、背蓋を開けることによりカウンタ２３がリセットされるので、このモードの解除を容易に行うことができる。
　第２図は本発明の他の実施例を示すものであり、２，３，４は前記実施例と同様のレリーズモード判別回路、レンズ制御回路、シャッタ制御回路である。５は巻戻し制御回路であり、該回路において、１０１はフィルムの最終駒を検出することによりＨレベルを出力するフィルム終了検出回路、Ｓ６はフィルムの最終駒以前にフィルムの巻戻しを行いたい場合に操作される部材に連動してオンオフするスイッチ、１０２は電源ＶＣＣとスイッチＳ６に接続されたプルアップ抵抗、１０３はインバータ、１０４は２入力オアゲート、１０５はオアゲート１０４の出力によりセットされ、後述するＲＳフリップフロップ１１７のＱ出力によりリセットされるＲＳフリップフロップ、１０６は電流制限用の抵抗、１０７は抵抗１０６を介してＨレベルが入力することによりオンするトランジスタ、１０８は電源ＶＢＡＴとトランジスタ１０７に接続されたフィルム巻戻し用のモータ、Ｓ７はフィルムのリーダー部が撮影露光部上に有るか無いかを判別するためのものであり、フィルムのリーダー部が撮影露光部に有るときにオンとなるスイッチ、１０９は電源ＶＣＣとスイッチＳ７に接続されたプルアップ抵抗、１１０は３入力アンドゲート、Ｓ８は背蓋が開いている時にはオフ，閉じている時にはオンとなるスイッチ、１１１は電源ＶＣＣとスイッチＳ８に接続されたプルアップ抵抗、１１２はシャッタ制御回路４のコイル８０への通電信号であるアンドゲート７７の出力を入力とするインバータ、１１５はＤ入力が電源ＶＣＣに接続され、インバータ１１２の出力をクロック入力とするＤフリップフロップ、１１６は２入力オアゲート、１１７はアンドゲート１１０の出力によりセットされ、オアゲート１１６の出力によりリセットされ、またそのＱ出力はＲＳフリップフロップ１０５のリセット入力とレリーズモード判別回路２のモード判別入力に接続されるＲＳフリップフロップである。
　以上の構成により、通常の撮影中は、ＲＳフリップフロップ１１７のＱ出力はＬレベルであり、よってレリーズモード判別回路２では通常レリーズモードが選択され、レンズ制御回路３では前述の如き通常の測距動作が行われ、シャッタ制御回路４では自動露出制御が行われる。その後、フィルムの最後の駒への撮影が終了し、その駒が巻き上げられ、フィルム突っ張り状態になると、フィルム終了検出回路１０１にてその事が検出され、その出力がＨレベルとなる。これによりオアゲート１０４の出力もＨレベルとなり、ＲＳフリップフロップ１０５はセットされ、そのＱ出力がＨレベルとなる。このようにＲＳフリップフロップ１０５のＱ出力がＨレベルになると、フィルム終了検出回路１０１はリセットされる。またトランジスタ１０７はオン状態になるのでモータ１０８への通電が開始され、図示しない駆動系を介してフィルムの巻戻しが開始される。その後フィルムの巻戻しが完了し、フィルムのリーダー部が撮影露光部から無くなると、スイッチＳ７がオフ状態となり、この時スイッチＳ６がオフしていればアンドゲート１１０の出力がＨレベルとなり、ＲＳフリップフロップ１１７のＱ出力もＨレベルとなる。ＲＳフリップフロップ１１７のＱ出力がＨレベルになるとＲＳフリップフロップ１０５はリセットされてモータ１０８への通電が停止する。この状態でレリーズボタンが押し下げられると、レリーズモード判別回路２にてピント調整用レリーズモードであることが選択され、又レンズ制御回路３にてピント調整に適した所定の位置に撮影レンズが移動させられ、さらにシャッタ制御回路４ではシャッタの開放、つまりバルブ動作が行われる。
　ピント調整終了後、レリーズボタンの押し下げが解かれると、シャッタ制御回路４のアンドゲート７７の出力はＨレベルからＬレベルになり、コイル８０への通電が停止する。この時、巻戻し制御回路５のインバータ１１２の出力はＬレベルからＨレベルになるのでＤフリップフロップ１１５のＱ出力はＨレベルとなる。ＤフリップフロップのＱ出力がＨレベルになるとオアゲート１１６の出力もＨレベルになり、ＲＳフリップフロップ１１７はリセットされ。そのＱ出力はＬレベルになるので再びレリーズされてもバルブ動作には移行せずに通常レリーズとなる。この時ＲＳフリップフロップ１１７のＱ出力はＨレベルになるのでＤフリップフロップ１１５はリセットされる。また、ＲＳフリップフロップ１１７のＱ出力がＨレベルの時にレリーズ動作を行わずに背蓋を開けば、スイッチＳ８がオフ状態となるのでオアゲート１１６の出力がＨレベルになり、ＲＳフリップフロップ１１７はリセットされ、通常レリーズモードに復帰する。
　この実施例において、撮影レンズのピント調整を行うには、調整用のミラーをセットして背蓋を閉じ巻戻し用の操作部材の押圧操作を行ってスイッチＳ６をオン状態にする。これによりインバータ１０３の出力がＨレベルになり、ＲＳフリップフロップ１０５がセットされてモータ１０８への通電が開始される。次に前記スイッチＳ６をオフ状態にすると、アンドゲート１１０の出力がＨレベルになるのでＲＳフリップフロップ１１７はセットされ、モータ１０８への通電が停止されると共に、ピント調整用のモードに設定される。
　本実施例によれば、通常では行われることのない、フィルム空送り失敗後或は巻戻し終了後にレリーズ動作が行われた場合、自動的にピント調整に適した位置まで撮影レンズが移動する構成としている為、適正な場所に被写体を設定するといっためんどうな作業を排除することができ、ピント調整が容易になり、又ピント調整に要するコストも低減させることができる。
　また、フィルム空送り失敗後のレリーズ動作や巻戻し終了後のレリーズ動作というフィルム有効露光部が撮影露光部にない時に所定の動作（レリーズ動作）によりシャッタがバルブ状態になるので、そのための操作が簡単になると共に、カメラのグリップ部分に調整用の穴や配線を設ける必要が無く、設計上の制約がなくなるので、コスト低減を図る事ができ、且つ組立工数を減らすことができる。又、フィルム空送り失敗後のレリーズ動作や巻戻し終了後のレリーズ動作によりユーザーが誤ってバルブ状態を設定してもフィルムの有効露光部が撮影露光部にないので、撮影したフィルムや未露光のフィルムをダメにすることもない。さらに、このモードの解除も背蓋を開けたり、１度のバルブ動作により可能であるので、ユーザーが気付かないうちに解除することができるという効果もある。
（発明と実施例の対応）
　以上の実施例において、カウンタ２３、オアゲート２４、インバータ４２及びアンドゲート４５、または、アンドゲート１１０、ＲＳフリップフロップ１１７、インバータ４２及びアンドゲート４５が本発明の判定手段に、オアゲート５５，５６及びコンパレータ５９が指示手段に、インバータ６０、アンドゲート６１、トランジスタ６３，コイル６４，スイッチＳ５及びカウンタ５８がレンズ設定手段に、それぞれ相当する。
（変形例）
　本実施例では、フィルム空送り失敗後或は巻戻し終了後にレリーズ動作が行われた場合、自動的にピント調整に適した位置まで撮影レンズを移動させるようにしているが、ピント調整モード設定用のスイッチを設け、該スイッチの操作を行った後にレリーズ動作を行うことにより、撮影レンズを所定位置まで移動させるように構成しても良い。
（発明の効果）
　以上説明したように、本発明によれば、レンズのピント調整を容易に、且つ短時間に行うことのできる
カメラ
【図面の簡単な説明】
　第１図は本発明の一実施例を示す回路図、第２図は本発明の他の実施例を示す回路図である。
　１……空送り制御回路、２……レリーズモード判別回路、３……レンズ制御回路、１７……トランジスタ，１８……モータ、Ｓ３……スイッチ、２０……インバータ、２１……キャパシタ、２２……抵抗、２４……オアゲート、２３……カウンタ、４３……インバータ、４４，４５……アンドゲート、５５，５６……オアゲート、５８……カウンタ、５９……コンパレータ。